(57)【特許請求の範囲】
【請求項１】
庫内を冷却させる冷却手段と、該冷却手段の除霜を行う霜取手段と、前記冷却手段と霜取手段を制御する制御手段とを備えたショーケースを複数接続し、全ショーケースを略同時期に霜取動作可能とする霜取制御システムにおいて、
前記制御手段は、
信号の入力端子と出力端子とを備え、その入力端子に対する制御信号の入力に対応して、前記冷却手段による冷却動作を行う冷却運転モードから、前記霜取手段による霜取り動作を行う霜取運転モードへ切り換え可能とするとともに、前記入力端子に入力された制御信号をもとにして形成された制御信号を前記出力端子から出力可能とするものであり、
前記霜取手段は、霜取動作が完了すると前記制御手段に対してその旨を知らせるものであって、
システムを構成する全てのショーケースにおける前記制御手段の入力端子と出力端子は一連に接続されてループ状に閉じられ、そのループ状に接続された制御手段の１つが親機に、残りの制御手段が子機に設定され、
前記親機側の制御手段は、
タイマー手段から予め設定された時間毎に出力されるタイマー信号の入力に対応して、その動作モードを前記冷却運転モードから霜取運転モードに切り換えるとともに、霜取運転モードの開始時期を知らせる霜取開始信号を子機側に向けて出力したあと更に、前記霜取手段による霜取完了時期に対応して霜取完了信号を出力可能とする一方、
前記子機側の制御手段では、前記霜取完了信号を受け取ると、自己が制御する霜取手段の霜取完了を条件に霜取完了信号を前記出力端子に向けて出力可能とすることにより、
前記親機の出力端子から出力された前記霜取完了信号が前記親機側の入力端子に戻されることによって、ループ状に接続された全てのショーケースが霜取動作を完了したことを親機側の制御手段が判定した後に、冷却運転モードの開始時期を知らせる冷却開始信号を子機側に向けて出力するものであって、更に、
前記各制御手段間で受け渡される前記制御信号は、電圧入力の有無で表現され、
前記霜取開始信号および冷却開始信号は、電圧の立ち上がり又は立ち下り時期により表現され、
前記霜取完了信号は、設定時間より短い時間幅の電圧変化により表現されることを特徴とするショーケースの霜取制御システム。
【請求項２】
前記親機側の制御手段は、前記霜取完了信号が入力されるのと略同時に運転モードを霜取運転モードから冷却運転モードに切り換えるとともに、所定時間が経過後に冷却開始信号を出力する一方、
前記子機側の制御手段は、前記冷却開始信号が入力されると略同時にその運転モードを霜取運転モードから冷却運転モードに切り換えるとともに、所定時間が経過後に前記冷却開始信号を出力する請求項１記載の霜取制御システム。
【請求項３】
前記タイマー手段はシステムを構成する全てのショーケースにあって、前記子機側のタイマー手段における設定時間は前記親機側のタイマー手段における設定時間よりも十分に大きく設定されるとともに、
前記子機側のタイマー手段がタイマー信号を出力すると、該子機側の制御手段は前記親機側の制御手段と同じ動作をすることを特徴とする請求項１記載の霜取制御システム。
【請求項４】
前記制御手段は、前記霜取運転モードが所定時間を越えて持続すると、強制的に冷却運転モードに切り換えることを特徴とする請求項１記載の霜取制御システム。
【請求項５】
前記霜取運転モードが持続される前記所定時間は、
前記親機側にあっては、庫内温度の設定温度が高いほど短くなるように設定される一方、
前記子機側にあっては、前記親機側の前記所定時間より長い時間に設定される請求項４記載の霜取制御システム。
【発明の詳細な説明】
【０００１】
【発明の属する技術分野】
この発明は、各種商品を冷却しながら展示するショーケースにおける霜取時期を制御するための方法および装置であって、特に複数台のショーケースを同時に霜取制御することを可能としたものに関する。
【０００２】
【従来の技術】
この種ショーケースは互いに連結して使用されることが多く、各ショーケース間が１枚の壁面で隔離されたり冷気の通路が設けられることさえある。そこで、霜取時における庫内温度上昇の影響を最小限に抑制しながら最短時間で除霜が完了できるよう、全ショーケースに対する霜取動作が同時期に行われることが多い。
【０００３】
かかる霜取動作を制御するための装置として、例えば特公平６−７４９４０号公報においては、各ショーケース毎に冷却および除霜の制御手段を備え、各制御手段から除霜中を知らせる信号を別に備えた制御盤に対して並列に出力し、全てのショーケースが除霜を終了したことを確認したのち、冷却を再開可能とするものが開示されている。
【０００４】
更にまた特開平５−２８８４５５号公報において、各制御手段にデータの伝送手段を更に備え、各伝送手段をバス接続して必要な制御信号をシリアル伝送することにより、上記と略同様な制御動作が行えるようにしたものも開示されている。
【０００５】
【発明が解決しようとする課題】
しかしながら上記した前者にあっては、１台の制御盤と各ショーケースに備えた複数台の制御手段との間に信号の入出力線を並列に接続するものであるため、ショーケースの台数が増大するのに比例して配線の本数が増加するとともに、その長さも大きくならざるを得ない。
【０００６】
一方、上記した後者にあっては、各制御手段間を２本のシリアル伝送線を介して接続するので配線上の問題は解消されるが、依然として装置全体を制御するための特別な制御手段を必要とするとともに、各ショーケースを特定するアドレスを予め設定しなければならず、ショーケースの台数を増減する際の初期設定が難しいとともに、その制御手順や回路が複雑化する問題が新たに発生する。
【０００７】
本発明は上記した問題を一挙に解消するものであって、メインの制御盤を別に用意することなく、各ショーケースに備えた制御手段を同一に構成でき、更に各制御手段の間を直列に接続して行くだけで配線が完了するために配線の簡略化が図られるとともに、制御すべきショーケースの台数を増減しても設定を変更する必要がなく、設置現場における作業が容易に行える霜取制御方法および装置を提供することを目的とする。
【０００８】
【課題を解決するための手段】
本発明にかかる霜取制御方法を実施するショーケース１６は、図１にその概略を示す如く、庫内を冷却させる冷却手段１０と、該冷却手段１０の除霜を行う霜取手段１２と、前記した両手段１０・１２を制御する制御手段１４とを備えて個別に動作可能なものであって、更に複数台のショーケース１６を連結し、全てのショーケース１６を略同時期に霜取動作させる様にしたものである。
【０００９】
ここで上記制御手段１４は、信号の入力端子１８と出力端子２０とを備え、図２に例示する様に、入力端子１８に対する霜取運転を制御するための信号ｅの入力時期に対応して、冷却手段１０と霜取手段１２とを択一的に切り換えると同時に、出力端子２０から前記入力された信号ｅを出力可能とする。更に各ショーケース１６における制御手段１４の入力端子１８と出力端子２０とを一連に接続することにより、各制御手段１４間で霜取運転を制御するための信号ｅが順次受け渡されながら、各制御手段１４毎に必要な霜取制御が行われる様にしている。
【００１０】
なお、上記した制御手段１４の入出力端子１８・２０を一連に接続することによりループ状に閉じられたものとし、更にその内の１つの制御手段１４ａを親機とし残りを子機とするとともに、親機の制御手段１４ａは、タイマー手段２２から設定時間毎に出力されるタイマー信号ａの入力または親機自身に内蔵されたタイマー手段のタイマー信号によって、上記した冷却手段１０による冷却運転モードＡから霜取手段１２による霜取運転モードＢへの切り換え、及び霜取の開始時期を知らせる信号ｂの出力動作を行う。
【００１１】
また各ショーケース１６に備えた霜取手段１２は個別に動作し、霜取が完了すると制御手段１４に対してその旨を知らせるものであって、上記した親機の制御手段１４ａは、霜取手段１２による霜取完了時期に対応して出力端子２０側から霜取完了信号ｃを出力する一方、霜取完了信号ｃを受け取った子機側の制御手段１４は、自己が制御する霜取手段１２の霜取完了を条件に霜取完了信号ｃを出力し、親機の出力端子２０から出力された霜取完了信号ｃが親機側の入力端子１８に戻されることにより、全てのショーケース１６が霜取動作を完了したことを親機が知った後に、霜取運転の終了時期を知らせる信号ｄの出力動作を行う。
【００１２】
【発明の効果】
本発明は上記のごとく、制御手段１４を直列に接続し、霜取制御に必要な信号を順次に受け渡しながら各ショーケース毎に制御動作を行う様に構成したので、各制御手段１４を略同一な構成にしながら全体を制御する手段を必要とせず、装置全体の共通化および簡略化が図られる。
【００１３】
更に、制御手段の増設は、単に増設すべき制御手段の入出力端を直列に接続するだけで完了し、接続された台数の設定は勿論、認識さえする必要がなく、設置現場における設定ミスあるいは配線ミスが可及的に防止される。また、各信号は全て入力端子１８と出力端子２０とで入出力されるので、制御手段１４の小型化が実現される。
【００１４】
【発明の実施の形態】
以下本発明を、３台のショーケースを連結して制御する例を示すがこれに限らず、その台数は任意に増減して実施できる。またショーケースは、前面を解放したオープン式や開閉扉を備えた開閉式など、その内部に商品を収納して陳列しながら同時に冷却が可能な各種形式のものが可能である。また各ショーケースに備える冷却手段は、圧縮機、凝縮器や冷却器などから構成される従来から知られるものと略同様であるから、以下の説明においては説明に必要な部材についてのみ記載し、その詳細な構成は省略している。更にまた、本実施例では各ショーケース毎に冷凍機を備えた例を示したが、１台の冷凍機から各ショーケースに冷気を引き込み、各ショーケース毎に備えた電磁弁のオンオフで庫内温度を制御するものにあっても、略同様に実施できることは勿論である。
【００１５】
ここで３台のショーケース１６は、図３に示すごとく略同一の構成であって、商品を収納可能で所定の冷却手段１０と霜取手段１２とを備えた冷却部２４と、冷却部２４の動作時期を制御する各種手段を備えた制御部２６とから構成され、基本的には１台毎に独立して冷却動作が行えるものである。しかしながら本実施例にあっては、３台の冷却部２４を隣接して配設し、更に各冷却部２４を隔離する側面２８を互いに共有化させることによって一体に連結するとともに、商用交流電源３０から共通のヒューズ３２とメインスイッチ３４を介して各制御部２６に電力を供給することにより、使用部材を削減し、その設置面積と製造コストの減少を図っている。
【００１６】
【制御部の回路構成】
一方、各制御部２６に備える制御手段１４は、マイクロプロセッサをその制御の中心に備えてプログラムによって図３に示す各手段を構成するとともに、後記する一連の制御動作が行われる様にしている。
【００１７】
すなわち、冷却制御手段４４は図２に示す冷却運転モードＡにおいて動作するものであって、冷却部２４内の適所に配設した庫内センサ３６による検知温度を入力信号とし、検知温度が庫内設定温度より例えば３℃上昇すると冷凍機３８をオンし、庫内設定温度を下回ると冷凍機３８をオフするオンオフ制御を行うことにより、庫内温度を設定値に維持する温度制御が行われる。
【００１８】
霜取制御手段４６は霜取運転モードＢにおいて動作するものであって、例えば図示外の冷却器近傍に備えた霜取センサ４０から送られる検知温度を霜取復帰設定温度と比較し、検知温度が設定温度を下回る期間に対応して霜取ヒータ４２に対する通電のオン状態を維持する制御を行うことにより、冷却器の霜取りが行われる。
【００１９】
タイマー手段２２は、メインスイッチ３４のオンまたは霜取開始時にリセットされてクロック信号を積算し、予め設定したクロック数をカウントする毎に運転モード制御手段５０にタイマー信号ａを送り、経過時間による各種制御が行われる様にしている。
【００２０】
出力信号制御手段４８は、運転モード制御手段５０から入力される信号に対応して、霜取運転信号ｅが出力され、更にその信号ｅが有効な期間中に霜取完了信号ｃが発生される様に構成している。
【００２１】
一方入力信号判定手段５２は、前記した２種類の信号ｅ・ｃを入力し、どの信号が入力されたかを運転モード制御手段５０に知らせることにより、運転モード制御手段５０では後で詳述する必要な制御動作が行われる。
【００２２】
図４は上記した制御部２６の構成の内、本発明にかかる制御動作の説明に必要な構成を更に具体的に示したものであって、制御部２６の制御動作と連動してオンオフする第１および第２のリレー接点５４・５６で第１および第２リレー５８・６０に対する通電時期を規制し、そのリレー接点（図示せず）で冷凍機３８および霜取ヒータ４２への通電時期を制御する。
【００２３】
更に出力信号制御手段４８として、予め設定した条件に従ってオンオフ制御される第３リレー接点６２を備え、次段に備えた制御部２６の信号入力端子１８に第３リレー接点６２を介して電圧を印加可能とする様に構成している。かかる構成により、第３リレー接点６２がオン状態の時に「Ｈ」レベルの霜取運転信号ｅが出力され、更に第３リレー接点６２がオン期間中に設定時間（本実施例では３秒）だけオフすることにより、パルス状の霜取完了信号ｃが出力される。
【００２４】
ここで各制御部２６は、第３リレー接点６２の両端から伸びる出力端子２０と、電源ライン６３と信号入力端６４間から伸びる入力端子１８を各々備え、各制御部２６の入力端子１８と出力端子２０を２線のデータ伝達ライン６６で直列に接続していくことにより、複数台（本実施例では３台）の制御部２６における入力端子１８と出力端子２０とがループ状につながれる様にしている。
【００２５】
なお、１台でショーケースを使用する場合は、自己の入力端子１８と出力端子２０とを直結するとともに、後記する親機としての設定をすることにより、単独でも制御動作が行える。１台での運転から複数台での運転に増設する場合は、単に入力端子１８と出力端子２０間に直列状態で制御手段１４を介装することにより配線は完了する。
【００２６】
【制御部の動作の概略】
次に、図３および図４で示す制御部２６の動作手順を概略的に説明する。装置の起動に先だって、３台の制御部２６中における任意の１台が親機、他の２台が子機として選択される。親機と子機とは、後記する様に、基本的な動作内容は同じであって、タイマー時間などの設定値を互いに異ならせることにより、正常運転時には親機が先に作動して制御の主導権をとるが、親機の制御が不能となった場合には子機が親機のバックアップをすることにより、霜取制御動作が確実に行われる様にしている。
【００２７】
すなわち、冷却制御手段４４によって各ショーケース１６毎に行われる冷却運転モードＡを基本とし、全体的な霜取制御は、親機側から上記した２種類の信号ｅ・ｃを所定のタイミングで出力し、その信号をループ状に接続された子機間を順次に受け渡しながら親機に戻すことにより行われる。ここで親機が必要な信号を出力しない場合、子機の内の１台が親機に代わって必要な信号を出力することにより、結果的に信号を出力した子機が親機の役割を果たす。更に、信号の受け渡しが正常に行われない場合には、各制御部２６が個別に親機としての動作をして必要な制御が実施されるのである。
【００２８】
要するに、親機と子機との区別は、制御を簡略化するための便宜的なものであり、両者間に本質的な違いはなく、全体としての連繋した霜取制御が不調な場合にあっても、各制御部２６毎に冷却および霜取制御動作が個別に行われる。
【００２９】
ここで霜取運転の開始は、親機の制御手段１４ａに備えたタイマー手段２２の設定時間Ｔを例えば６・８・１２時間の内から１つを選択することにより、図２に示す如く、電源のオン時あるいは先の霜取開始時から設定時間Ｔ毎に周期的に行われる。一方、子機に備えたタイマー手段２２の設定時間Ｔ’は、親機側の設定時間Ｔより十分長い例えば１５時間に固定されており、親機が霜取の開始を指示する信号を発しない場合にあっても、子機が霜取運転信号ｅを出力することにより、３台のショーケース１６を一斉に冷却運転モードＡから霜取運転モードＢに切り換え、霜取ヒータ４２に対する通電を開始する。
【００３０】
次に、各ショーケース１６は個別に霜取制御手段４６を有し、冷却器の霜取が完了したことが確認されると霜取ヒータ４２への通電を個別に停止する。このとき、直ちに冷却運転モードＡに戻るのではなく、親機から出力された霜取完了信号ｃを子機間で一周させて全てのショーケース１６における霜取が完了したことを親機が確認したのち、親機側から５秒程度の遅れ時間をもって順次に霜取運転信号ｅをオフしていくことにより、３台のショーケース１６が略同時ではあるが所定の時間間隔をもって冷却運転モードＡへ戻る様にしている。
【００３１】
なおこの種のショーケース１６にあっては、霜取運転モードＢを必要以上に持続することは、庫内の温度が上昇して商品の保存上問題が多い。そこで、霜取を開始してから３０〜６０分程度の設定時間経過後も霜取運転モードＢを維持している場合は、親機または子機は強制的に霜取運転信号ｅの出力を停止し、霜取運転モードＢから冷却運転モードＡへの強制的な切り換えを行う様にしている。
【００３２】
【制御部動作の詳細】
以下において、図５・６の流れ図および図２・７・８の波形図を用い、制御部２６の動作を更に詳細に説明する。ここで、図５は親機における制御の流れを、図６は子機における制御の流れを各々示す。更に、図７は親機の霜取ヒータ４２が最後にオフした場合を例示し、図８は親機の霜取ヒータ４２が最初にオフした場合を各々例示するが、その他の制御タイミングは両者の組み合わせて類推できるので省略している。
【００３３】
また、図７・８における（ａ）は親機の、（ｂ）（ｃ）は子機における信号の変化を示すものであって、更に各組の信号変化は、上側から図４のリレー５８に流れる冷凍機のオン信号ｆ、リレー６０に流れる霜取ヒータのオン信号ｇ、入力端子１８に印加される入力信号ｈ、出力端子２０から出力される出力信号ｉの変化を各々示す。
【００３４】
先ず図３のメインスイッチ３４をオンする（図２の時刻ｔ０）と、親機および子機はともに通電されて制御部２６は始動する。ここで親機にあっては、図５のステップ７１で第３リレー接点６２をオフして霜取運転信号ｅをオフしたあと、ステップ７２で３分保護処理を行う。かかる３分保護処理は、主として電源の瞬断で冷凍機３８の発停を急激に繰り返さない様にするためのものであって、電源がオフされた状態からオン状態に移ってもすぐには冷凍機３８をオンせず、３分間の保護期間を経過したのちステップ７３に移り、冷凍機３８をオンさせる。
【００３５】
一方、子機側にあっても、図６のステップ７１ａで第３リレー接点６２をオフして霜取運転信号ｅを強制的にオフしたあと、ステップ７２ａで３分保護処理動作に入る。なお子機側の３分保護処理は、２秒の整数倍の秒数をランダムに決めて３分に加算することにより、電源投入直後に親機を含めた全ての冷凍機３８が同時に起動されるのを防止している。また、庫内設定温度を最大にすることにより３分保護機能を解除可能とし、３分ないしはそれ以上の時間を待つことなく、直ちに冷却運転を開始できる様にしている。
【００３６】
親機は、上記したステップ７３で冷却運転モードＡに入ったのち、ステップ７５において電源始動後あるいは前回の霜取開始時からの経過時間を検知し、時刻ｔ１にタイマー手段２２からタイマー信号ａが出力されて予め設定した時間Ｔが経過したことを確認するとステップ７８に移り、冷却運転モードＡから霜取運転モードＢにモード切り換えを行う。霜取運転モードＢに入ると、先ずステップ７９で霜取ヒータ４２をオンし、その５秒後の時刻ｔ２に霜取運転信号ｅを子機側に向けて出力する（ステップ８０）。
【００３７】
一方子機側では、ステップ７６ａで霜取運転信号ｅが入力されるのを待ち、信号入力が確認されると、ステップ７７ａで前回の霜取終了から５分以上経過したことを確認したのち、ステップ７８ａに移って冷却運転モードＡを強制的にオフして霜取運転モードＢに入る。霜取運転モードＢに入ると、親機と同様にステップ７９ａで霜取ヒータ４２をオンしたのち、ステップ８０ａで５秒後の時刻ｔ３に霜取運転信号ｅを出力することにより、親機から出力された霜取運転信号ｅが５秒間隔で子機間を受け渡され、全ショーケース１６を所定短時間の遅れをもって冷却運転モードＡから霜取運転モードＢへ転換させる。
【００３８】
なお子機側では、ステップ７５ａにおいて親機側のタイマー時間Ｔよりも長い１５時間の時間経過を検知しており、親機のタイマー機構や親機と子機間の信号伝達経路が不良になった場合には、子機自らが親機より先にステップ７８ａからの霜取運転モードＢに入り、ステップ８０ａで霜取運転信号ｅを出力することにより全制御部２６を霜取運転モードＢに切り換える。
【００３９】
上記した様に霜取運転モードＢに入ったのちは、各制御部２６においては独自に霜取状態の検出動作を行い、ステップ８２・８２ａで所定の温度条件を満足するとステップ８３・８３ａに移り、霜取ヒータ４２をオフする。このとき子機側では、ステップ８４ａにおいて霜取完了信号ｃが入力されるのを待つが、親機側ではステップ８３で霜取ヒータ４２がオフされるとすぐにステップ８５に移り、第３リレー接点６２を３秒間だけオフすることにより霜取完了信号ｃを出力する（時刻ｔ４）。
【００４０】
すると子機側では、ステップ８４ａで入力信号のオフ状態が５秒以下か否かを判定し、５秒以下であれば霜取完了信号ｃが入力されたものと判断し、ステップ８５ａに移って第３リレー接点６２を３秒間だけオフすることにより、霜取完了信号ｃを出力する（時刻ｔ５）。
【００４１】
上記の様にして子機間を受け渡されてきた霜取完了信号ｃは、時刻ｔ６に親機の入力側へ戻される。するとステップ８４において全ての制御部２６が霜取動作を完了したものと判断し、ステップ７３に戻って冷凍機３８をオンして冷却運転モードＡを再開する。この時点において、親機の出力信号はオン状態を続けているので、更にステップ７４において５秒後の時刻ｔ７に霜取運転信号ｅをオフする。
【００４２】
すると子機側では、かかる霜取運転信号ｅのオフ状態がステップ８４ａにおいて検出され、ステップ７３ａに戻って冷凍機３８をオンして冷却運転モードＡに戻すとともに、ステップ７４ａでそれから５秒遅れて出力信号をオフする（時刻ｔ８）。かかる制御により、各子機は５秒遅れで霜取運転信号ｅのオフ状態が受け渡され、その結果、データ伝達ライン６６で直列接続されたショーケース１６群はその接続された冷凍機３８が順番にオンされ、複数の冷凍機３８が同時起動された場合に突入電流が発生してヒューズ３２がオフするのが未然に防止されるのである。
【００４３】
なお図８に例示する如く、子機側のステップ８２ａでの温度条件が満足される前に上流側から霜取完了信号ｃが送られてきた場合にあっては、ステップ８３ａで霜取ヒータ４２がオフされたことを確認したのちに霜取完了信号ｃを出力することにより、全てのショーケース１６における霜取の完了が確認されたのちに冷凍機３８の起動が行われるようにしている。
【００４４】
更に霜取運転モードＢ中におけるステップ８１・８１ａで、親機および子機ともに霜取ヒータ４２にオンされてからの経過時間がカウントされており、ステップ８２・８２ａにおける温度条件が満足される前に所定の設定時間に達したことが判定されると、強制的に霜取ヒータ４２をオフして霜取動作を終了することにより、霜取運転モードＢが過剰に持続されない様にしている。更にこの時の設定時間は、親機側にあっては、霜取運転開始時における庫内の設定温度が７℃以上なら３０分、７℃未満であれば４５分の最大時間という様に、設定温度が高いほど設定時間が短くなる様に設定されている。一方、子機側の設定時間は親機の動作不良時におけるバックアップ用であるから、それより長い例えば６０分程度に固定して設定される。
【００４５】
【その他の実施例】
上記した実施例にあっては、マイコン装置に備えたクロック信号を利用したタイマー手段２２によって霜取周期を設定する様に構成した。しかしながら、一定時刻に霜取を行うことが必要な使用環境にあっては、外部にタイマーユニットを設置し、親機の制御手段に対して定刻にスタート信号を送る様にすることが可能である。制御手段自体に時計機能を持たせてもよい。
【００４６】
更に、各制御部２６間で受け渡す信号ｅの区別は、単に電圧のある無しおよびその持続時間によってのみ行うことにより、第３リレー接点６２のオンオフによって実現するのに代えて、トランジスタスイッチの様な電子的なスイッチ手段の使用も可能である。この場合、チャタリングの影響が少ないので、霜取完了信号ｃの時間幅を短くしたり、オンオフを設定された複数回行い、オンオフの回数で表現することもできる。
【００４７】
更にまた、上記の単なる電圧変化で表現した信号の内容を、霜取の開始時期、霜取の完了時期および冷却の再開時期を特定する複数ビットのデータを設定し、そのデータを制御手段間で受け渡すことも可能であり、各制御部間で受け渡す信号の種類、あるいはその表現方法は限定されるものではない。
【００４８】
更に上記実施例にあっては、信号の受け渡し方向が１方向であるため、１つの制御手段を親機として信号をループ状に受け渡す様に構成したが、信号あるいはデータの伝送が双方向に行える場合、両端が解放された直線状に複数台の制御手段を接続し、一方の端部に配設された制御手段から他方の端部に配設された制御手段に向けて交互に信号のやり取りをしながら必要な制御を実行することもできる。
【図面の簡単な説明】
【図１】本発明の基本的な構成を示す概略図である。
【図２】冷却運転モードと霜取運転モードの関係を示す説明図である。
【図３】本発明を実施した一例を示すブロック図である。
【図４】図２に示す各制御回路間で受け渡される信号を、スイッチのオンオフで行う例を示す電気配線図である。
【図５】制御回路の内、親機の設定した場合における処理手順を示す流れ図である。
【図６】制御回路の内、子機の設定した場合における処理手順を示す流れ図である。
【図７】親機から子機に受け渡される各種信号の流れを例示する波形図であって、親機が最後に霜取を完了した場合を示す。
【図８】親機から子機に受け渡される各種信号の流れを例示する波形図であって、親機が最初に霜取を完了した場合を示す。
【符号の説明】
１０  冷却手段
１２  霜取手段
１４  制御手段
１６  ショーケース
１８  入力端子
２０  出力端子
２２  タイマー手段
２４  冷却部
２６  制御部
２８  側面
３０  商用交流電源
３２  ヒューズ
３４  メインスイッチ
３６  庫内センサ
３８  冷凍機
４０  霜取センサ
４２  霜取ヒータ
４４  冷却制御手段
４６  霜取制御手段
４８  出力信号制御手段
５０  運転モード制御手段
５２  入力信号判定手段
５４  第１リレー接点
５６  第２リレー接点
５８  第１リレー
６０  第２リレー
６２  第３リレー接点
６４  入力端
６６  データ伝達ライン
【図１】
0003677114.tif 000002
【図２】
0003677114.tif 000003
【図３】
0003677114.tif 000004
【図４】
0003677114.tif 000005
【図５】
0003677114.tif 000006
【図６】
0003677114.tif 000007
【図７】
0003677114.tif 000008
【図８】
0003677114.tif 000009